【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
成分Ａおよび成分Ｂを含む接着剤組成物であって、成分Ａがエポキシ樹脂を含み、成分
Ｂがチオール、アミンおよび水可溶性ポリマーを含むことを特徴とする、接着剤組成物。
【請求項２】
水可溶性ポリマーが分子レベルで成分Ｂ中に分散している、請求項１に記載の接着剤組
成物。
【請求項３】
エポキシ樹脂が、ビフェノールＡ型エポキシ樹脂、ビフェノールＳ型エポキシ樹脂、ビ
フェノールＦ型エポキシ樹脂、フェノールノボラックエポキシ樹脂、クレゾールノボラッ
クエポキシ樹脂、エポキシ希釈剤、およびそれらの組み合わせからなる群より選択される
、請求項１または２に記載の接着剤組成物。
【請求項４】
エポキシ樹脂が、ビフェノールＡ型エポキシ樹脂、ビフェノールＦ型エポキシ樹脂、お
よびそれらの組み合わせからなる群より選択される、請求項１〜３のいずれか一項に記載
の接着剤組成物。
【請求項５】
接着剤組成物の総重量に基づき、エポキシ樹脂の量が２５重量％〜４０重量％である、
請求項１〜４のいずれか一項に記載の接着剤組成物。
【請求項６】
接着剤組成物の総重量に基づき、エポキシ樹脂の量が３０重量％〜３５重量％である、
請求項１〜５のいずれか一項に記載の接着剤組成物。
【請求項７】
チオールが、多官能性ポリチオール、二官能性モノマーチオール、三官能性モノマーチ
オール、多官能性モノマーチオール、およびそれらの組み合わせからなる群より選択され
る、請求項１〜６のいずれか一項に記載の接着剤組成物。
【請求項８】
チオールが、ジエチレングリコールジメルカプトプロピオネート、４−ｔ−ブチル−１
，２−ベンゼンジチオール、ビス−（２−メルカプトエチル）スルフィド、４，４'−チ
オジベンゼンチオール、ベンゼンジチオール、エチレングリコールジメルカプトアセテー
ト、エチレングリコールジメルカプトプロピオネート−１，２−エチレン（３−メルカプ
トプロピオネート）、ポリエチレングリコールジメルカプトアセテート、ポリエチレング
リコールジ（３−メルカプトプロピオネート）、２，２−ビス（メルカプトメチル）−１
，３−プロパンジチオール、２，５−ジメルカプトメチル−１，４−ジチアン、ビスフェ
ノフルオレンビス（エトキシ−３−メルカプトプロピオネート）、４，８−ビス（メルカ
プトメチル）−３，６，９−トリチア−１，１１ −ウンデカンジチオール、２−メルカ
プトメチル−２−メチル−１，３−プロパンジチオール、１，８−ジメルカプト−３，６
−ジオキサオクタン、チオグリセロールビスメルカプト−アセテート、トリメチロールプ
ロパン（トリスメルカプトプロピオネート）、トリメチロールプロパントリス（３−メル
カプトアセテート）、トリス（３−メルカプトプロピル）イソシアヌレート、１，２，３
−トリメルカプトプロパン、トリス（３−メルカプトプロピオネート）トリエチル−１，
３，５−トリアジン−２，４，６−（１Ｈ，３Ｈ，５Ｈ）−トリオン、ポリ（メルカプト
プロピルメチル）シロキサン、４−メルカプトメチル−３，６−ジチア−１，８−オクタ
ンジチオールペンタエリスリトールテトラキス （３−メルカプトアセテート）、ペンタ
エリスリトールテトラキス（３−メルカプト−プロピオネート）、ポリエステルを骨格と
して有するポリチオール、ポリウレタンを骨格として有するポリチオール、ポリアクリレ
ートを骨格として有するポリチオール、およびポリエーテルを骨格として有するポリチオ
ールからなる群より選択される１または複数の化合物である、請求項１〜７のいずれか一
項に記載の接着剤組成物。
【請求項９】
接着剤組成物の総重量に基づき、チオールの量が２０重量％〜３０重量％である、請求
項１〜８のいずれか一項に記載の接着剤組成物。
【請求項１０】
接着剤組成物の総重量に基づき、チオールの量が２１.５重量％〜２７.５重量％である
、請求項１〜９のいずれか一項に記載の接着剤組成物。
【請求項１１】
アミンが、ポリアミン、第三級アミン、およびそれらの組み合わせからなる群より選択
される、請求項１〜１０のいずれか一項に記載の接着剤組成物。
【請求項１２】
アミンが、脂肪族ポリアミン、アリール脂肪族ポリアミン、シクロ脂肪族ポリアミン、
芳香族ポリアミン、ヘテロ環ポリアミン、ポリアルコキシポリアミン、ジシアンジアミド
およびその誘導体、アミノアミド、イミド、ケチミン、トリエチルアミン、トリブチルア
ミン、Ｎ−エチル−ジイソプロピルアミン、Ｎ，Ｎ，Ｎ’，Ｎ’−テトラメチル−エチレ
ンジアミン、ペンタメチル−ジエチレントリアミンおよびその高級同族体、Ｎ，Ｎ，Ｎ’
，Ｎ’−テトラメチル−プロピレンジアミン、ペンタメチルジプロピレントリアミンおよ
びその高級同族体、Ｎ，Ｎ，Ｎ’，Ｎ’−テトラメチル−１，３−ブチレンジアミン、Ｎ
，Ｎ，Ｎ’，Ｎ’−テトラメチル−１，６−ヘキシレンジアミン、ビス−（ジメチルアミ
ノ）−メタン、Ｎ，Ｎ−ジメチルベンジルアミン、Ｎ，Ｎ−ジメチル−シクロヘキシルア
ミン、Ｎ−メチル−ジシクロヘキシルアミン、Ｎ，Ｎ−ジメチル−ヘキサデシルアミン、
ビス−（Ｎ，Ｎ−ジエチルアミノエチル）−アジペート、Ｎ，Ｎ−ジメチル−２−フェニ
ルエチルアミン、トリ−（３−ジメチルアミノプロピル）アミン、１，４−ジアザビシク
ロ［２，２，２］オクタン、１，８−ジアザビシクロ［５，４，０］ウンデカ−７−エン
、１，５−ジアザビシクロ［４，３，０］ノニル−５−エン、Ｎ−メチルモルホリン、Ｎ
−エチルモルホリン、Ｎ−ココイルモルホリン、Ｎ−アミノエチルピペラジン、Ｎ，Ｎ’
−ジメチルピペラジン、Ｎ−メチル−Ｎ’−ジメチルアミノエチル−ピペラジン、ビス−
（ジメチルアミノエチル）−ピペラジン、１，３，５−トリ−（ジメチルアミノプロピル
）−ヘキサヒドロトリアジン、ビス−（２−ジメチルアミノエチル）−エーテル、
および２，４，６−トリ（ジメチルアミノメチル）フェノールからなる群より選択される
、請求項１〜１１のいずれか一項に記載の接着剤組成物。
【請求項１３】
アミンがＮ−アミノエチルピペラジン、Ｎ，Ｎ−ジメチルベンジルアミン、２，４，６
−トリ（ジメチルアミノメチル）フェノールおよびそれらの組み合わせからなる群より選
択される、請求項１〜１２のいずれか一項に記載の接着剤組成物。
【請求項１４】
接着剤組成物の総重量に基づき、アミンの量が１.５重量％〜４重量％である、請求項
１〜１３のいずれか一項に記載の接着剤組成物。
【請求項１５】
接着剤組成物の総重量に基づき、アミンの量が２.５重量％〜３重量％である、請求項
１〜１４のいずれか一項に記載の接着剤組成物。
【請求項１６】
水可溶性ポリマーが、ポリビニルピロリドン、ポリ酢酸ビニルおよびその組み合わせか
らなる群より選択される、請求項１〜１５のいずれか一項に記載の接着剤組成物。
【請求項１７】
接着剤組成物の総重量に基づき、水可溶性ポリマーの量が１重量％〜３重量％である、
請求項１〜１６のいずれか一項に記載の接着剤組成物。
【請求項１８】
接着剤組成物の総重量に基づき、水可溶性ポリマーの量が２重量％である、請求項１〜
１７のいずれか一項に記載の接着剤組成物。
【請求項１９】
成分ＡおよびＢのうち少なくとも１つが充填剤をさらに含む、請求項１〜１８のいずれ
か一項に記載の接着剤組成物。
【請求項２０】
充填剤が、アルミナ、シリカ、炭酸カルシウムおよびそれらの組み合わせからなる群よ
り選択される、請求項１９に記載の接着剤組成物。
【請求項２１】
接着剤組成物の総重量に基づき、充填剤の量が１５重量％〜５０重量％である、請求項
１９または請求項２０に記載の接着剤組成物。
【請求項２２】
接着剤組成物の総重量に基づき、充填剤の量が２５重量％〜４０重量％である、請求項
１９〜２１のいずれか一項に記載の接着剤組成物。
【請求項２３】
次の工程：
（１）エポキシ樹脂と、場合により充填剤を均一に混合して成分Ａを生成する工程；
（２）水可溶性ポリマーをチオールに溶かし、それで該水可溶性ポリマーをチオールに
分子レベルで分散させ、そうしてプレミックスを形成させ、続いて、該プレミックスと、
アミンおよび場合により充填剤とを均一に混合し、成分Ｂを生成する工程；および
（３）成分Ａおよび成分Ｂを混合し、接着剤組成物を製造する工程：
を含む、請求項１〜２２のいずれか一項に記載の接着剤組成物の製造方法。
【請求項２４】
請求項２３に記載の方法により製造される接着剤組成物。
【請求項２５】
シリコンインゴットのスライスにおける請求項１〜２２および２４のいずれか一項に記
載の接着剤組成物の使用。
【手続補正２】
【補正対象書類名】明細書
【補正対象項目名】００３１
【補正方法】変更
【補正の内容】
【００３１】
＜エポキシ樹脂＞
本発明と関連して、「エポキシ樹脂」なる語は、その分子構造中にエポキシ基を含むポ
リマーを意味する。硬化したエポキシ樹脂は優れた物理的特性および化学的特性を有し、金属および非金属材料面との強い結合強度、高い硬度、優れた可撓性、ならびにア
ルカリおよび大抵の溶媒に対して安定性を有する。